(57)【要約】【課題】  ぐらつき及びズレが生じることが無く装着感が良好であり、他の矯正具とも併用が可能であると共に、装着者の口腔形状の差異による影響を受けにくく、調整コストが低減可能な舌位及び下顎位矯正訓練器具を提供する。【解決手段】  可撓性を有する熱可塑性エラストマーからなり、上歯列に嵌合しうる歯列嵌合部と、上記歯列嵌合部に延設されると共に、下方に向かって膨出して形成にされた舌位置矯正部とを有する構成とする。【選択図】  図１
0003153815.tif 000002
【実用新案登録請求の範囲】
【請求項１】
口腔内部の上顎部に装着され、舌位及び下顎位を矯正する舌及び下顎位矯正訓練器具であって、
可撓性を有する熱可塑性エラストマーからなり、上歯列に嵌合しうる歯列嵌合部と、
上記歯列嵌合部に延設されると共に、下方に向かって膨出して形成にされた舌位置矯正部とを有することを特徴とする舌及び下顎位矯正訓練器具。
【請求項２】
上記歯列嵌合部は上歯列の下端部が近接しうる平面Ｕ字形の上歯列近接面部と、上記上歯列近接面部から上方に立ち上がり、上記上歯列と上唇部裏面側との間に配置される立ち上がり部とから形成され、
上記立ち上がり部と上記上歯列近接面部との間には、断面Ｕ字形のアンダカット部が形成されていることを特徴とする請求項１記載の舌及び下顎位矯正訓練器具。
【請求項３】
上記立ち上がり部の周面部において、周方向略中央部には、上唇小帯に嵌合しうる切り欠き部が形成されていると共に、上記舌位置矯正部には、舌小帯に嵌合しうる切り欠き部が設けられていることを特徴とする請求項２記載の舌及び下顎位矯正訓練器具。
【請求項４】
上記上歯列近接面部において、上記舌及び下顎位矯正訓練器具を装着した場合に上下の第二乳臼歯、若しくは第二小臼歯と第一大臼歯が当接する部位の厚さ寸法は、それ以外の部位の厚さ寸法よりも大きく形成されていることを特徴とする請求項２記載の舌及び下顎位矯正訓練器具。
【請求項５】
上記熱可塑性エラストマーはスチレン系樹脂であることを特徴とする請求項１記載の舌及び下顎位矯正訓練器具。
【考案の詳細な説明】
【技術分野】
【０００１】
本考案は、口腔内部に装着され、舌及び下顎位置の矯正訓練を行う為の舌及び下顎位矯正訓練器具に関する。
【背景技術】
【０００２】
上下の歯列の咬合形態が不正となるいわゆる不正咬合は、顎関節症、開口障害、嚥下障害、歯周病等の様々な症状を引き起こす要因の一つとなっている。
咬合時における、上顎に対する下顎の位置関係（咬合位）は、上口唇圧の強弱、及び口腔内部における舌の位置が大きく関連しており、上記上口唇圧が大きいと上顎部は後方に誘導され、また、舌位が低位置である場合、口が開いたままの状態となり易く、舌によって下顎部が前方に押し出される力が作用する。
従って、上記のような状態が継続した場合、下顎部が上顎部よりも前方に突出（下顎前突）し、上歯列よりも下歯列が前方に位置するいわゆる反対咬合と称される不正咬合を引き起こす。
３歳未満の乳幼児期においては、上記の症状が発生している場合であっても自然に治癒する可能性があるが、上記症状が３歳を越えても継続している場合、自然治癒率は６％前後にまで落ち込み、ほぼ自然治癒が期待できなくなる。
また、上顎部によって下顎部が押さえ込まれなくなるため、下顎部が過度に成長し、反対咬合状態が更に悪化する可能性もある。
従って、３歳以降の幼児に関しては、早期、且つ積極的に治療を行う必要があるが、従来この治療は、ヘッドギアとベルト等によって下顎位置を強制的に後方位置に付勢する方法、及び針金等によって歯列を矯正する方法が主流であり、治療対象者である幼児の肉体的及び精神的負担が大きいという不具合を有していた。
【０００３】
上記不具合を解決する為、口腔内部の上顎部に装着可能なマウスピース形の舌位及び下顎位矯正訓練器具が使用されている。
図３に示すように、従来の舌位及び下顎位矯正訓練器具４０は、上歯列４１に嵌合しうる歯列嵌合部４２と上記歯列嵌合部４２に延設され、下方に向かって膨出して形成にされた舌位置矯正部４３とを有し、上記歯列嵌合部４２は上歯列４１の下端部４３が近接しうる平面Ｕ字形の上歯列当接面部４４と、上記上歯列当接面部４４から上方に立ち上がり、上記上歯列４１と上唇部４５の裏面側との間に配置される立ち上がり部４６とから形成されている。
上記舌位及び下顎位矯正訓練器具４０は、ポリメタクリル酸メチル樹脂（ＰＭＭＡ樹脂）によって形成されており、硬度はロックウェル硬さ換算で１００〜９５を有し、非常に剛性が高い。
従って、口腔内部４７に装着した場合の違和感が大きく、他の矯正装置との併用は困難であるという不具合を有していた。
また、上記立ち上がり部４６と上記上歯列当接面部４４との間には、より装着時の密着度を高めると共に、ぐらつき、ズレを防止する為に、アンダカット部が設けられることが望ましいが、上記舌位及び下顎位矯正訓練器具４０を金型成型によって製造する場合、上記舌位及び下顎位矯正訓練器具４０の合成が高いため、アンダカット部を型から抜き取ることができず、金型成形によってはアンダカット部を形成させることが困難であった。
従って、装着時のフィット感が悪く、ぐらつきやズレの発生要因となるという不具合をも有していた。
更に、上記のとおり高い剛性を有する為、装着者の口腔形状や歯列形状に合致しない場合は、器具の一部が歯茎等に接触して痛みを生じることがあり、専門の歯科医によって型調整を手作業で行う必要があった。
従って、装着者毎の調整作業に時間を要すると共に、調整コストが大きいという別途の不具合をも有していた。
【考案の開示】
【考案が解決しようとする課題】
【０００４】
本考案の解決する課題は、ぐらつき及びズレが生じることが無く装着感が良好であり、他の矯正具とも併用が可能であると共に、装着者の口腔形状の差異による影響を受けにくく、調整コストが低減可能な舌位及び下顎位矯正訓練器具を提供することにある。
【課題を解決するための手段】
【０００５】
上記課題を解決するために、請求項１の考案にかかる舌位及び下顎位矯正訓練器具は、口腔内部の上顎部に装着され、舌位及び下顎位を矯正する舌及び下顎位矯正訓練器具であって、可撓性を有する熱可塑性エラストマーからなり、上歯列に嵌合しうる歯列嵌合部と、上記歯列嵌合部に延設されると共に、下方に向かって膨出して形成にされた舌位置矯正部とを有することを特徴とする。
【０００６】
従って、口腔内部に装着された場合に、装着者の口腔形状、及び歯列形状等に合わせて変形し、上顎部に密着して装着される。
【０００７】
また、請求項２の考案に係る舌位及び下顎位矯正訓練器具は、上記歯列嵌合部は上歯列の下端部が近接しうる平面Ｕ字形の上歯列近接面部と、上記上歯列近接面部から上方に立ち上がり、上記上歯列と上唇部裏面側との間に配置される立ち上がり部とから形成され、上記立ち上がり部と上記上歯列近接面部との間には、断面Ｕ字形のアンダカット部が形成されていることを特徴とする。
従って、上歯列の歯茎部と上唇部裏面側との間において、上記立ち上がり部がより密着して配置される。
【０００８】
また、請求項３の考案に係る舌位及び下顎位矯正訓練器具は、上記立ち上がり部の周面部において、周方向略中央部には、上唇小帯に嵌合しうる切り欠き部が形成されていると共に、上記舌位置矯正部には、舌小帯に嵌合しうる切り欠き部が設けられていることを特徴とする。
従って装着した際に、上記切り欠き部が上記上唇小帯、及び舌小帯に嵌合し、上記立ち上がり部と上記舌位置矯正部がより口腔内部において上顎部に密着して装着される。
【０００９】
また請求項４の考案に係る舌及び下顎位矯正訓練器具は、上記上歯列近接面部において上記舌及び下顎位矯正訓練器具を装着した場合に上下の第二乳臼歯、若しくは第二小臼歯と第一大臼歯が当接する部位の厚さ寸法は、それ以外の部位の厚さ寸法よりも大きく形成されていることを特徴とする。
上記第二乳臼歯、若しくは第二小臼歯と第一大臼歯の位置は、正常な噛み合わせ状態の場合に、上下の歯列が最も強く噛み合わされる部位である。
日常的にいわゆる反対咬合の状態であっても、本器具を装着することによって、下顎位置が後方に下げられ、正常な噛み合わせ位置に矯正されるが、正常位置での噛み合せに慣れていない為、噛み合わせ状態が不安定になる可能性がある。
上記第二乳臼歯、若しくは第二小臼歯と第一大臼歯の当接位置にあたる、上記上歯列近接面部の厚さ寸法を他の部位よりも大きくすることによって、装着時に上記舌及び下顎位矯正訓練器具が強く上下の歯列に挟み込まれるため、噛み合わせ状態が安定する。
【００１０】
また、請求項５の考案に係る舌及び下顎位矯正訓練器具は、上記熱可塑性エラストマーはスチレン系樹脂であることを特徴とする。
【考案の効果】
【００１１】
請求項１及び６の考案にあっては、可撓性を有する熱可塑性エラストマーからなり、上歯列に嵌合しうる歯列嵌合部と、上記歯列嵌合部に延設されると共に、下方に向かって膨出して形成にされた舌位置矯正部とを有することから、熱可塑性エラストマーの可撓性によって、口腔内部形状や歯列形状に合わせ上記舌及び下顎位矯正訓練器具が微小に変形する。
したがって、より口腔内部にフィットし、ぐらつき及びズレが生じることが無く装着感が良好であり、他の矯正具とも併用が可能となる。
更に、変形することによって、装着者の口腔形状の差異による影響を受けにくくなり、微細な調整作業が不要となる。
従って、調整コスト低減可能な舌位及び下顎位矯正訓練器具を提供することが可能となる。
また、請求項２の考案にあっては、上記歯列嵌合部は上歯列の下端部が近接しうる平面Ｕ字形の上歯列近接面部と、上記上歯列近接面部から上方に立ち上がり、上記上歯列と上唇部裏面側との間に配置される立ち上がり部とから形成され、上記立ち上がり部と上記上歯列近接面部との間には、断面Ｕ字形のアンダカット部が形成されていることから、装着時に上記立ち上がり部が上歯列の歯茎部のカーブに合わせて密着し易くなり、請求項１の効果に加え、更に装着時の安定感が向上する。
更に、熱可塑性エラストマーから形成されていることによって、アンダカット部が形成されている場合であっても、金型によって型抜きが可能であるため、
射出成型による製法と比較して、製造コストを低減することができる。
【００１２】
また、請求項３の考案にあっては、上記立ち上がり部の周面部において、周方向略中央部には、上唇小帯に嵌合しうる切り欠き部が形成されていると共に、上記舌位置矯正部には、舌小帯に嵌合しうる切り欠き部が設けられていることから、上記切り欠き部が上記上唇小帯、及び舌小帯に嵌合し、上記立ち上がり部と上記舌位置矯正部がより口腔内部において密着して装着感が向上すると共に、上唇小帯、及び舌小帯を傷つけることが無い。
【００１３】
また、請求項４の考案にあっては、上記上歯列近接面部において上記舌及び下顎位矯正訓練器具を装着した場合に上下の第二乳臼歯、若しくは第二小臼歯と第一大臼歯が当接する部位の厚さ寸法は、それ以外の部位の厚さ寸法よりも大きく形成されていることから、装着して口を閉止した状態において、上下の第二乳臼歯、若しくは第二小臼歯と第一大臼歯によって上記舌及び下顎位矯正訓練器具が強く挟まれるため、反対咬合の状態で装着した場合であっても、よりぐらつき及びズレが生じ難い舌及び下顎位矯正訓練器具を提供することが可能となる。
【図面の簡単な説明】
【００１４】
【図１】本考案の一実施の形態を示し、実施例の形態における舌位及び下顎位矯正訓練器具の（ａ）は平面図、（ｂ）は（ａ）のＡ−Ａ線断面図である。
【図２】本考案の一実施の形態を示し、実施の形態における舌位及び下顎位矯正訓練器具を口腔内部に装着した状態を示す透過断面図である。
【図３】従来の舌及び下顎位矯正訓練器具を口腔内部に装着した状態を示す断面図である。
【考案を実施するための最良の形態】
【００１５】
本考案の実施するための形態について図面を用いて説明する。
図２に示すように、本実施例に係る舌位及び下顎位矯正訓練器具１０は、口腔内部１１の上顎部１２に装着され、可撓性を有するスチレン系樹脂の熱可塑性エラストマーからなり、上歯列に嵌合しうる歯列嵌合部１３と、上記歯列嵌合部１３に延設されると共に、下方に向かって膨出して形成にされた舌位置矯正部１４とを有している。
また、上記歯列嵌合部１３は上歯列１５の下端部１６が近接しうる平面略Ｕ字形の上歯列近接面部１７と、上記上歯列近接面部１７から上方に立ち上がり、上記上歯列１５と上唇部裏面側１８との間に配置される立ち上がり部１９とから形成され、上記立ち上がり部１９と上記上歯列近接面部１７との間には断面略Ｕ字形のアンダカット部２０が形成されている。
また、図１（ａ）に示すように、上記立ち上がり部１９の周面部２１において、周方向略中央部には、上唇小帯２４（図１には図示せず）が嵌合しうる切り欠き部２２が形成されていると共に、上記舌位置矯正部１４には、舌小帯２５（図１には図示せず）に嵌合しうる切り欠き部２３が設けられている。
また、図１（ａ）に示すように、上記上歯列近接面部１７において上記舌及び下顎位矯正訓練器具１０を装着した場合に上下の第二乳臼歯、若しくは第二小臼歯と第一大臼歯が当接する部位２６の厚さ寸法は、それ以外の部位２７の厚さ寸法よりも大きく形成されている。
【実施例１】
【００１６】
以下に、図面を用いて本実施例について詳細を説明する。
図１（ａ）は、本実施例の形態における舌位及び下顎位矯正訓練器具１０の平面図を示し、図１（ｂ）は（ａ）のＡ−Ａ線断面図を示している。
図１（ａ）に示すように、本実施例に係る舌及び下顎位矯正訓練器具１０は平面略Ｕ字形に形成されている。
上記舌及び下顎位矯正訓練器具１０を形成するスチレン系熱可塑性エラストマーは、ベースポリマーにスチレン系ゴム（ＳＢＣ）を使用した三菱化学株式会社製「ラバロン」（登録商標）を採用した。
上記スチレン系熱可塑性エラストマーはデュロ硬度（ＪＩＳＫ７２１５）Ａ７０の硬度を有しており、手指で容易に変形可能な程度の硬さに形成されている。
また、図１（ｂ）に示すように、上記上歯列近接面部１７において、上記舌及び下顎位矯正訓練器具１０を装着した際に上下の第二乳臼歯、若しくは第二小臼歯と第一大臼歯が当接する部位２６の厚さ寸法は約３ｍｍであり、その他の部位の厚さ寸法よりも大きく形成されている。
また、上記立ち上がり部１９と上記上歯列近接面部１７との間アンダカット部２０は、図１（ｂ）に示すように前方に突出する断面Ｕ字形に形成され、上記立ち上がり部１９は内方に向かって傾斜して形成されている。
また、切り欠き部２２は正面略Ｖ字形状に形成されると共に、切り欠き部２３は平面略Ｖ字形状に形成されている。
【００１７】
本実施例に係る舌及び下顎位矯正訓練器具１０を口腔内部に装着した場合の作用について以下図面を用いて説明する。
図２に示すように、上記歯列嵌合部１３を上歯列１５に嵌合させると共に、上記立ち上がり部１９の周面部２１の周方向略中央部に形成された切り欠き部２２に上唇小帯２４を嵌合させ、更に上記舌位置矯正部１４の上面部に舌２８を載せ、上記舌位置矯正部１４に設けられた平面Ｖ字形の切り欠き部２３に舌小帯２５を嵌合させる。
上記アンダカット部２０が形成されていることによって、上記立ち上がり部１９が口腔内方に向かって傾斜して形成されていることから、上歯列１５の歯茎部２７に上記立ち上がり部１９の内面部が密着して当接する。
従って、上記舌及び下顎位矯正訓練器具１０を口腔内部に装着した場合に、上記下顎位矯正訓練器具１０のぐらつき、ズレ等が起こり難く、極めて装着感が優れている。
また、装着して口を閉止した状態において、上下の第二乳臼歯、若しくは第二小臼歯と第一大臼歯によって、上記上歯列近接面部１７の部位２６が強固に挟まれるため、ぐらつき及びズレが生じ難く、装着感が更に向上する。
【００１８】
また、スチレン系熱可塑性エラストマーが有する可撓性によって、歯茎等に当たった場合の衝撃が吸収されるともに、装着者によって異なる歯列形状等に従って変形するため、長時間装着している場合にも、口腔内部に痛みが生じ難くなると共に、装着者毎にオーダーメードとする必要は無く、所定の種数のサイズを準備することによって、多数人に使用しうる。
【００１９】
更に、スチレン系熱可塑性エラストマーが可撓性を有することによって、金型から変形させて型抜きすることが出来ることから、金型成型によってアンダカット部を形成させることが可能となる。
従って、射出成型方法と比較して、製造コストを低減させることが可能となる。
【００２０】
なお、本実施例に係る舌及び下顎位矯正訓練器具の全体の大きさ寸法、及び各部の寸法は、本考案の構成を逸脱しない範囲で適宜変更可能であり、各寸法を変更した場合であっても、本実施例と同様の作用効果を得ることが可能である。
【産業上の利用可能性】
【００２１】
本考案は、口腔内部に装着され、舌及び下顎位置の矯正訓練を行う為の舌及び下顎位矯正訓練器具に適用可能である。
【符号の説明】
【００２２】
１０  舌及び下顎位矯正訓練器具
１１  口腔内部
１２  上顎部
１３  歯列嵌合部
１４  舌位置矯正部
１５  上歯列
１６  上歯列下端部
１７  上歯列近接面部
１８  上唇部裏面側
１９  立ち上がり部
２０  アンダカット部
２１  立ち上がり部の周面部
２２  切り欠き部
２３  切り欠き部
２４  上唇小体
２５  舌小体
２６  上下の第二乳臼歯、若しくは第二小臼歯と第一大臼歯が当接する部位
２７  歯茎部
２８  舌
４０  舌及び下顎位矯正訓練器具
４１  上歯列
４２  歯列嵌合部
４３  舌位置矯正部
４４  上歯列近接面部
４５  上唇部
４６  立ち上がり部
４７  口腔内部
【図１】
0003153815.tif 000003
【図２】
0003153815.tif 000004
【図３】
0003153815.tif 000005